(57)【要約】操業海域の水の色、気象・海象・日照条件、漁獲対象生物の種類・位置・深度・行動特性、漁具や漁船の位置や挙動等の各種の操業情報に基づき、発光状態を適切に制御することができる集魚灯装置、及びその使用方法を提供することを目的とする。発光色が相異なる複数の発光ダイオードを集合させた光源を有する集魚灯３と、前記光源の発光状態を海域の状況や漁獲対象種等の操業情報に応じて変化させる光源制御部２とを備えてなる集魚灯装置１である。
2005029952.tif 000002
【特許請求の範囲】
【請求項１】
発光色が相異なる複数の発光ダイオードを集合させた光源を有する集魚灯と、前記光源の発光状態を海域の状況や漁獲対象種等の操業情報に応じて変化させる光源制御部とを備えてなる集魚灯装置。
【請求項２】
発光色が相異なる複数の発光ダイオードを集合させた光源を有する集魚灯と、海域の状況や漁獲対象種等の操業情報に応じて、前記発光ダイオードの各々の発光量を制御し、前記光源全体としての調色を行うことで発光状態を変化させる光源制御部とを備えてなる集魚灯装置。
【請求項３】
発光色が相異なる複数の発光ダイオードを集合させた光源を有する集魚灯と、海域の状況や漁獲対象種等の操業情報に応じて、前記発光ダイオードの各々の発光量を制御し、前記光源全体としての調光を行うことで発光状態を変化させる光源制御部とを備えてなる集魚灯装置。
【請求項４】
発光色が相異なる複数の発光ダイオードを集合させた光源を有する集魚灯と、海域の状況や漁獲対象種等の操業情報に応じて、前記発光ダイオードの各々の発光量を制御し、前記光源全体としての調色もしくは調光、またはその両方を行うことで発光状態を変化させる光源制御部とを備えてなる集魚灯装置。
【請求項５】
請求項１〜４のいずれか記載の集魚灯装置において、光源制御部が、光源の発光状態を変化させるボリューム部と、前記ボリューム部の設定位置に対応する発光状態を直感的に図示するスケール部とを備えたことを特徴とする集魚灯装置。
【請求項６】
請求項１〜４記載の集魚灯装置において、集魚灯が、海水を通じて発光ダイオードを冷却するための貫通孔を備えたことを特徴とする集魚灯装置。
【請求項７】
請求項５記載の集魚灯装置において、集魚灯が、海水を通じて発光ダイオードを冷却するための貫通孔を備えたことを特徴とする集魚灯装置。
【請求項８】
請求項２記載の集魚灯装置の使用方法であって、光源全体としての発光波長が海域の水色と一致するように、発光ダイオードの各々の発光量を制御し、海水中の光の透過率を高めることを特徴とする集魚灯装置の使用方法。
【請求項９】
請求項４記載の集魚灯装置の使用方法であって、集魚灯と漁獲対象種との距離もしくは漁獲対象種の反応行動に応じて、発光ダイオードの各々の発光量を制御し、光源全体としての発光波長もしくは発光強度を変化させることを特徴とする集魚灯装置の使用方法。
【発明の詳細な説明】
【技術分野】
【０００１】  本発明は、漁業に用いる集魚灯装置に関する。具体的には、イカ、サンマ、アジ、サバ等の水産動物を集め、漁獲に連係するための集魚灯装置の技術分野に属する。
【背景技術】
【０００２】  従来、漁業の操業においては、自船周囲のより広い海域からできるだけ多くの対象生物を漁具の操作範囲に集め、漁獲に結びつけることを目的として、集魚灯が用いられている。漁業の操業過程は、対象生物を探知する過程（探魚）、誘集する過程（集魚）、漁獲する過程（漁獲）から構成され、集魚灯の灯光は漁獲の効率を左右する重要な要素である。集魚灯漁業の主な対象生物としては、走光性のあるイカ、サンマ、アジ、サバ等が挙げられる。【０００３】  集魚灯に用いられる光源技術は、漁獲量を増加させるためには光力を増加することが有効であるという考えのもとに開発が進められてきた。集魚灯の光源は、アセチレンランプ、白熱ランプ、ハロゲンランプと変遷してきており、現在ではメタルハライドランプが主流となっている。【０００４】  メタルハライドランプは、発光管内に始動用のアルゴンと、ランプ電圧、発光管温度を調節するための水銀及び数種の金属ハロゲン化物を封入したランプであり、金属原子による発光を利用したものである。メタルハライドランプは、従来使用されていた白熱灯に比べ、同電力において４倍以上の全光束を持ち、発光効率が向上した。【０００５】  しかし、メタルハライドランプは発光効率が向上したものの、十分ではなく、発光に伴なう電力消費や放熱が大きいこと、光害による生態系への影響、寿命が短い（１，２００〜３，６００時間）等の問題を有している。また、電源電圧の変動によるランプ特性の変化が大きく、発光波長の変化、すなわち発光色の変化を伴うという問題点がある。さらに、電源を入れた後の始動に１０分程度、再点灯するにはアークチューブ内のガスを冷却する必要があるため、１０〜１５分程度の時間を要するという問題点もある。【０００６】  そこで、最近では、上記ランプに代わり発光ダイオードを用いた集魚灯が提案されている。特許文献１及び２には、青色発光ダイオードを光源として備えた集魚灯が開示されており、少ない電力消費量で効果的に魚類を誘集できることが記載されている。【０００７】  しかしながら、これら従来の集魚灯においては、いずれも灯色が固定されていた。このため、操業海域や対象魚種の行動に応じて発光波長や発光（放射）強度を変化させる等の適切な調光を行うことができないため、漁獲効率の向上に繋がり難いという問題点があった。
【特許文献１】特開２００３−１３４９６７号公報
【特許文献２】特開２０００−１２５６９８号公報
【発明の開示】
【発明が解決しようとする課題】
【０００８】  そこで本発明では、上記従来の状況に鑑み、操業海域の水の色、照度条件、漁獲対象生物の種類、漁獲対象生物の位置・深度・行動特性等の各種の操業情報に基づき、発光状態を適切に制御し、漁獲効率の向上に繋ぐことができる集魚灯装置、及びその使用方法を提供することを目的とする。
【課題を解決するための手段】
【０００９】  上記課題を解決するため、本発明は、発光色が相異なる複数の発光ダイオードを集合させた光源を有する集魚灯と、前記光源の発光状態を海域の状況や漁獲対象種等の操業情報に応じて一元的に変化させる光源制御部とを備えてなる集魚灯装置を提供するものである。【００１０】  上記構成によれば、刻々変化する操業情報に応じて、集魚灯から発せられる光の状態が最適化され、漁獲作業が効率良く進められる。なお、ここで操業情報とは、海域の水の色、水温、風向・風速、潮流の流向・流速、照度条件、漁獲対象生物の種類・位置・反応行動、漁具や漁船の位置や挙動等の漁獲作業に影響する各種情報をいう。【００１１】  また、本発明は、発光色が相異なる複数の発光ダイオードを集合させた光源を有する集魚灯と、海域の状況や漁獲対象種等の操業情報に応じて、前記発光ダイオードの各々の発光量を一元的に制御し、前記光源全体としての調色を行うことで発光状態を変化させる光源制御部とを備えてなる集魚灯装置である。【００１２】  また、本発明は、発光色が相異なる複数の発光ダイオードを集合させた光源を有する集魚灯と、海域の状況や漁獲対象種等の操業情報に応じて、前記発光ダイオードの各々の発光量を一元的に制御し、前記光源全体としての調光を行うことで発光状態を変化させる光源制御部とを備えてなる集魚灯装置である。【００１３】  また、本発明は、発光色が相異なる複数の発光ダイオードを集合させた光源を有する集魚灯と、海域の状況や漁獲対象種等の操業情報に応じて、前記発光ダイオードの各々の発光量を制御し、前記光源全体としての調色もしくは調光又はその両方を行うことで発光状態を変化させる光源制御部とを備えてなる集魚灯装置である。【００１４】  上記構成によれば、個々の発光ダイオードを制御することで、その集合体である光源全体としての調色及び調光が行われ、様々な状況に対応した漁具・漁船の操作や漁獲が可能となる。なお、ここで調色とは、個々の発光ダイオードの発光を合成した結果として、光源全体から発せられる見かけの発光波長を変化させることを意味し、調光とは光源全体の見かけの発光強度を変化させることを意味する。【００１５】  また、本発明は、上記の集魚灯装置において、光源制御部が、光源の発光状態を変化させるボリューム部と、前記ボリューム部の設定位置に対応する発光状態を直感的に図示するスケール部とを備えたことを特徴とする。【００１６】  上記構成によれば、スケール部の表示を確認しつつボリュームを設定することで、速やかに所望の発光状態が得られる。また、発光状態を連続的に微調整できる。【００１７】  また、本発明は、上記の集魚灯装置において、集魚灯が、海水を通じて発光ダイオードを冷却するための貫通孔を備えたことを特徴とする。【００１８】  上記構成によれば、集魚灯の稼動中に海水を利用して発光ダイオードを冷却するため、発光ダイオードの発光効率が向上する。【００１９】  また、本発明は、上記の集魚灯装置の使用方法であって、光源全体としての発光波長が海域の水色と一致するように、発光ダイオードの各々の発光量を制御し、海水中の光の透過率を高めることを特徴とする集魚灯装置の使用方法である。【００２０】  上記手段によれば、集魚灯から発せられる光の波長が、その海域の海水中を透過するのに最適な値に設定され、漁獲作業の効率化が図れる。【００２１】  さらに、本発明は、上記の集魚灯装置の使用方法であって、集魚灯と漁獲対象種との距離もしくは漁獲対象種の反応行動に応じて、発光ダイオードの各々の発光量を制御し、光源全体としての発光波長もしくは発光強度を変化させることを特徴とする集魚灯装置の使用方法である。【００２２】  上記手段によれば、漁獲対象生物を遠方から徐々に当業船周辺に集め、船上に獲り込むまでの過程を通じて、発光波長（色）および強度の最適化が図れ、漁獲効率を高めることができる。
【発明の効果】
【００２３】  以上、本発明によれば、海域の水色や漁獲対象生物の種類・反応行動等の操業情報に応じて、発光色の相異なる複数の発光ダイオードを制御するので、その場の状況に適した調色・調光を様々に行うことができ、漁獲効率の向上が図れる。
また、可視光域の任意の色（波長）を発光させることができるので、漁獲対象種や海域の状況によって光源を交換する必要がない。
【図面の簡単な説明】
【００２４】
【図１】本発明の実施の形態（１）に係る集魚灯装置、及びその使用方法を示す図である。
【図２】本発明の実施の形態（１）に係る集魚灯装置、及びその使用方法を示す図である。
【図３】本発明の実施の形態（１）に係る集魚灯装置の構成を示す図である。
【図４】本発明の実施の形態（１）に係る集魚灯装置の構成を示す図である。
【図５】（ａ）本発明の実施の形態（１）における集魚灯を示す斜視図である。（ｂ）（ａ）のＡ−Ａ断面図である。
【図６】本発明の実施の形態（１）における発光ダイオードの発光状態を示す図である。
【図７】本発明の実施の形態（１）における発光ダイオードの発光状態を示す図である。
【図８】本発明の実施の形態（１）に係る集魚灯装置の構成の別例を示す図である。
【図９】本発明の実施の形態（１）に係る集魚灯装置の構成の別例を示す図である。
【図１０】本発明の実施の形態（２）における集魚灯を示す斜視図である。
【符号の説明】
【００２５】１００                集魚灯装置
１                    光源制御部
１０                  操作部
１１                  スケール部
１１ａ                発光波長スケール部
１１ｂ                発光強度スケール部
１２                  ボリューム部
１２ａ                発光波長ボリューム部
１２ｂ                発光強度ボリューム部
１２０                つまみ
１３                  回路部
１３１                ＣＰＵ
１３２                定電流回路
２、２Ｂ              集魚灯
２０                  光源
２１                  発光ダイオード
２１１                赤色発光ダイオード
２１２                青色発光ダイオード
２１３                緑色発光ダイオード
２２、２２ｂ          筐体
２３                  入出力線
２４、２４ｂ          取り付け器具
２５                  貫通孔
２６                  発光ダイオード実装基板
２７                  防水シリコン
２８                  冷却用ファン
２９                  傘部
３                    自動イカ釣り機
３１                  釣り糸
３２                  擬餌針
３３                  おもり
４                    集魚灯水深調節装置
４１                  ワイヤ
Ｓ                    漁船
Ｈ１、Ｈ２            発光波長
【発明を実施するための最良の形態】
【００２６】  以下、本発明に係る集魚灯装置、及びその使用方法を、各実施形態に基づき説明する。まず、本発明の実施の形態（１）を図１〜９に示す。【００２７】  図１、図２は、実施の形態（１）に係る集魚灯装置をイカ釣りに使用する場合について示している。集魚灯装置１００は、光源制御部１と集魚灯２とから構成されている。集魚灯２は、集魚灯水深調節装置４に接続されたワイヤ４１により漁船Ｓから海中に投入される。集魚灯２により誘集されたイカは、自動イカ釣機３に接続された釣り糸３１の擬餌針３２を捕捉するので、釣り糸３１を自動イカ釣機３によって巻き上げることにより、イカを釣獲することができる。【００２８】  集魚灯２の発光状態は、対象海域の水色、照度条件、イカの種類・位置・反応行動等の操業情報に応じて、光源制御部１により制御される。なお、集魚灯２には、必要に応じて、光が反射する傘部２９等を設けることにより、集魚灯２から発せられる光を下向きにする等して指向性を持たせることもできる。【００２９】  以下、上記集魚灯２の発光状態を、様々な操業情報に応じて制御する方法について具体的に述べる。
まず、操業情報として漁場海域の水色を利用する場合について説明する。図１は、イカが水の色の異なる領域ａ１と、領域ａ２に存在する場合について示している。それぞれの領域ａ１、ａ２の海水の色に一致するように集魚灯２の発光波長を設定することで、海水中の光の透過率を高め、集魚効果を向上させることができる。なお、夜間に操業する場合には、集魚灯２の発光波長が日中観測した海水の色と一致するように制御し、水中用の集魚灯２を発光させる。【００３０】  なお、海水の色は、プランクトン、浮遊物、溶存・懸濁物質等によって影響を受けることが知られている。例えば、植物性プランクトンや懸濁物が少ない水塊では青色（波長４３０〜５００ｎｍ）となり、植物性プランクトンが多くなったり、懸濁物の多い海域になるにつれ、緑色（波長５１０〜５５０ｎｍ）、黄色（波長５６０〜６００ｎｍ）、赤色（波長６１０〜７００ｎｍ）と変化する。漁場海域の水色を観測する方法としては、日中走航中に海水を目視により確認する方法が挙げられる。この際、フォーレル・ウーレ水色計を用いて海域の水の色を観測しても良い。フォーレル・ウーレ水色計は、水の色の違いを２１段階の色で表した水色標準液のことである。日中に水面を真上から見た水の色とフォーレル・ウーレ水色計とを比較することで、海域の水の色をより正確に観測することができる。また、海色走査放射計等を用いて海の水の色を自動で求めることも可能である。【００３１】  次に、操業情報として照度条件を利用する場合について説明する。太陽高度が高く、日光の照度が強いときには、海水中は透過した日光により比較的明るくなっている。この場合には、水中集魚灯の設定深度に応じて発光波長・強度を変化させることでイカを誘集することができる。また、夜間等の照度が低い条件で操業する場合等には、海水中の光量が少ないので、集魚灯光源の発光強度を比較的小さく設定しても漁獲対象生物を誘集することが可能である。【００３２】  なお、照度条件は、季節、操業位置、天候、時間帯等に応じて変化する。照度条件を観測する方法としては、目視で確認する方法が挙げられるが、より正確に観測するために照度計等を用いても良い。【００３３】  続いて、操業情報がイカの種類である場合について説明する。図２には漁獲対象のイカの種類がアカイカ類とヤリイカ類の場合について示している。一般にイカの眼の視物質は、波長４７０〜５００ｎｍ付近の光に高感度を示すが、イカ釣り漁業の対象となるアカイカ類、ヤリイカ類は、それぞれ異なる波長で感度の極大を示すことが知られている。集魚灯２の発光波長を、それぞれの種類のイカの分光感度が極大となる波長付近に設定することで、各種イカ類の誘集を効率良く行うことができる。【００３４】  また、図２では、イカが異なる深度領域ｄ１、ｄ２に存在する場合について併せて示している。海の深度により、プランクトン、浮遊物質、溶存・懸濁物質等の密度が異なる。深度の浅い領域ｄ１にイカが存在する場合には、プランクトンや懸濁物質の密度が高いため、光の透過率が低く、透過極大が長波長側に移動することが一般的である。したがって、集魚灯２の発光波長を清澄水に対応する青色からやや緑色側に調節し、発光強度を大きくする。��に、表層高濁度層より深い深度領域ｄ２にイカが存在する場合には、発光波長を清澄水に対応する青色側に調節し、比較的小さい発光強度に設定すればよい。イカの棲息深度や光に対する反応行動の観測方法には、魚群探知機やソナーを用いて深度や行動をモニターリングする方法が挙げられる。【００３５】  続いて、操業情報として、集魚灯２とイカとの距離やイカの反応行動特性を利用する場合について説明する。イカは、低照度環境に適応した眼を持っており、暗所から明所への急激な光環境の変化には対応できないため、眼の順応度が即座に対応できないような明るい環境に長く滞留することはないと考えられている。このような観点から、実施の形態（１）では、集魚灯２とイカとの距離に応じて集魚灯２の発光強度を変化させることで、集魚灯２付近までイカを効率的に誘集する。なお、集魚灯２とイカとの距離の測定方法としては、水中集魚灯の設定深度と魚群探知機やソナーから得られたイカの位置とから求める方法が挙げられる。【００３６】  例えば、操業開始時には、より広い範囲のイカを誘集するために、集魚灯２の発光強度を大きく設定する。そして、イカが誘集され、集魚灯２とイカとの距離が近くなると共に集魚灯２の発光強度を減じることで、誘集過程におけるイカの逃出を防ぎ、集魚灯２の近くまでイカ群が誘集されることになる。なお、発光強度を減じる方法以外にも、発光波長を、海中の透過率の低い発光波長に変化させ、その効果を魚群探知機やソナーでモニターリングする方法等も適宜採用できる。【００３７】  また、漁獲効率をあげるためには単位時間あたりの釣具ラインの降下および巻上げ回数を増やす必要がある。そのため、イカの活動深度が深い場合には、図２に示したように、イカを浅い領域まで誘集する必要がある。この実施の形態（１）では、操業開始時には、深度の深い領域に集魚灯２を降下し、発光強度を大きく設定し、より広範囲のイカを誘集する。そして、集魚灯２とイカとの距離が近くなるにしたがって、発光強度を減少させながら、集魚灯２を引き上げることにより、イカを深度の浅い領域まで誘導することができる。なお、集魚灯２の引き上げは、集魚灯水深調節装置４により、ワイヤー４１を巻き取ることで行うことができる。【００３８】  以上、海水の色、照度条件、イカの種類、イカの存在する深度、集魚灯とイカとの距離やイカの反応行動特性等の各操業情報に基づき、集魚灯の発光状態を制御する方法について述べたが、前記操業情報以外にも、例えば、海水温の変化、潮流の流向および流速と釣具ラインの挙動等の操業情報に基づいて、発光波長、発光強度を制御することも可能である。【００３９】  また、上記では、一つの操業情報に基づいて集魚灯２の発光状態を制御する方法について述べたが、実際に得られた複数の操業情報を総合して、発光波長、発光強度を制御しても良い。【００４０】  さらに、上記では、イカを誘集する場合について述べたが、イカ以外にもサンマ、アジ、サバ等の各種走光性を有する水産動物に対して適用可能である。【００４１】  次に、集魚灯装置１００の装置構成について説明する。この実施の形態（１）に係る集魚灯装置１００は、図３に示すように、光源２０を有する集魚灯２と、その光源２０の発光状態を操業情報に応じて変化させる光源制御部１とを接続して概略構成されている。そして、光源制御部１は、光源２０の発光状態を設定するための操作部１０と、操作部１０に入力された信号を光源２０へ出力するための回路部１３とを備えている。【００４２】  操作部１０には、光源２０の発光状態を変化させるボリューム部１２と、そのボリューム部１２の設定位置に対応するスケール部１１とが設けられている。
具体的には、図４に示すように、操作部１０は、例えば箱型に形成された操作パネルから構成され、光源１０の発光波長を変化させる発光波長ボリューム１２ａと、発光強度を変化させる発光強度ボリューム部１２ｂとを有し、それぞれのボリューム部はつまみ１２０をスライドさせることで発光波長及び強度を連続的に変化させ得るように構成されている。また、発光波長ボリューム部１２ａ及び発光強度ボリューム部１２ｂに沿うように、それぞれ発光波長スケール部１１ａと発光強度スケール部１１ｂとが設けられている。発光波長スケール部１１ａは、例えば可視光域のスペクトルを模した帯状の表示部材からなり、つまみ１２０の位置に対応する光源２０の発光波長が直感的に認識できるようになっている。また、発光強度スケール部１１ｂは、例えば三角形状に構成され、つまみ１２０を動かすことで光源２０の発光強度が変化することを直感的に認識できるようになっている。さらに発光スペクトル・スケールおよび発光強度の設定を再現するための指標として数値スケールも併装している。【００４３】  発光波長ボリューム部１２ａ、及び発光強度ボリューム部１２ｂは、例えば可変抵抗を備えており、設定された値に対応する電圧値がＣＰＵ１３１のＡＤ端子に入力される。そしてＣＰＵ１３１でＡＤ変換された後、ＲＧＢの各発光ダイオード２１に対する電流値が演算される。この演算結果に基づいた電流指令値が定電流回路１３２に出力され、各発光ダイオードに電流を流し、それぞれの発光量を制御する。【００４４】  また、この実施の形態（１）では、操作部１０に、ＲＧＢの各発光ダイオード２１を点灯させることによって光源２０の発光色をワンタッチで白色に変換できる白色光スイッチ１４を別に設けている。上述のように、本発明は、ボリューム部１２等を操作することで、操業情報に応じ発光状態を任意に制御することを特徴とするが、例えば船上で作業員が青色・緑などの単色光の下で作業をすると、目に支障をきたす補色現象や網膜炎症を起こす場合がある。そこで、白色光にワンタッチ切り替え可能な白色光スイッチ１４を装備することにより、このような事態を防止することができる。すなわち、遠くにいる漁獲対象生物を漁船Ｓの近傍に寄せるまでは発光波長を制御した単色光を使用し、その後、単色光から白色光へスイッチで切り替えることで、近傍に集魚した対象魚を逃がさないようにしつつ、作業者に負荷の少ない光環境を作ることが可能である。【００４５】  次に、集魚灯２について説明する。図５（ａ）は、実施の形態（１）に係る集魚灯２の斜視図であり、図５（ｂ）はそのＡ−Ａ断面図である。この集魚灯２は、円柱状の筐体２２の周面に、複数の発光ダイオード２１が取り付けられ、光を全方位に出射可能となっている。また、集魚灯２には取り付け器具２４が設けられ、ワイヤー４１により海中に投入して用いられる。そして、集魚灯２と光源制御部１とは入出力線２３で接続され、各発光ダイオード２１の制御のための信号が送られる。なお、図５では便宜上、図１で示した傘部２９は省略している。【００４６】  図５（ｂ）に示すように、それぞれの発光ダイオード２１は、発光ダイオード実装基板２６上に配設されている。そして、発光ダイオード２���の一部と発光ダイオード実装基板２６の表面には防水シリコン２７がコーティングされ、防水処理が施されている。【００４７】  また、集魚灯２には、海水を通じて発光ダイオード２１を冷却するための貫通孔２５が設けられている。具体的には、図５（ｂ）に示すように、円柱状の筐体２２の長さ方向に沿って貫通孔２５が形成されており、集魚灯２を水中へ沈めた際に海水が貫通孔２５内へ自然に流入することを利用して、発光ダイオード２１を冷却し、発光効率を高めている。【００４８】  この実施の形態（１）では、発光ダイオード２１は、図５（ｂ）の拡大図に示すように、赤色発光ダイオード２１１、青色発光ダイオード２１２、及び緑色発光ダイオード２１３を内蔵している。図６及び図７に示すように、三色の発光ダイオードの発光量をそれぞれ制御することにより、それらの合成として、発光ダイオード２１から発せられる見かけの発光波長を、例えば図６ではＨ１、図７ではＨ２となるように変化させたり、あるいは発光ダイオード２１の発光強度を変化させることができる。その結果、光源２０全体としての調色、調光を自在に行うことができる。【００４９】  光源制御部１、及び集魚灯２の回路構成は、図４の例に限定されることなく、適宜設計することができる。例えば、図８に示すように、発光ダイオード２１の接続を一部並列にすることができる。
また、この実施の形態（１）では、一つの発光ダイオード２１の中に、赤色発光ダイオード２１１、青色発光ダイオード２１２、緑色発光ダイオード２１３が内蔵されている場合について述べたが、これに限定されるものではない。例えば図９に示すように、それぞれ単色の赤色発光ダイオード２１１、青色発光ダイオード２１２、及び緑色発光ダイオード２１３を用い、それらを交互に敷き詰める等して配設して、光源２０全体としての調色、調光を行っても良い。【００５０】  以上の実施の形態（１）は、円柱状の水中用集魚灯について述べたが、これに限定されず、球状や多角柱状等の任意の形状とすることができる。【００５１】  さらに、本発明の実施の形態（２）を図１０に示す。この集魚灯２Ｂは、船上に設置し、海面に向かって投光するものである。集魚灯２Ｂは、平板状に形成された筐体２２ｂを有し、その海面側の一面に、複数の発光ダイオード２１が敷き詰められている。また、筐体２２ｂの他方の面には、船上に固定するための取り付け器具２４ｂが設けられ、さらに筐体２２ｂの側面には、冷却用ファン２８が備えられて筐体２２ｂの内部から発光ダイオード２１を冷却できるようになっている。
船上用の集魚灯２Ｂを使用することにより、サンマ等の各種の漁獲対象を効率的に集魚することができる。
船上で用いる集魚灯は、実施の形態（２）の平板状に限らず、曲面状や多角柱状等の任意の形状とすることができる。【００５２】  上記実施の形態（２）において、発光ダイオード２１の構成や、光源制御部１によって発光状態を制御する方法等については上記実施の形態（１）と同様である。
【図１】
2005029952.tif 000003
【図２】
2005029952.tif 000004
【図３】
2005029952.tif 000005
【図４】
2005029952.tif 000006
【図５】
2005029952.tif 000007
【図６】
2005029952.tif 000008
【図７】
2005029952.tif 000009
【図８】
2005029952.tif 000010
【図９】
2005029952.tif 000011
【図１０】
2005029952.tif 000012
【手続補正書】
【提出日】平成17年10月14日(2005.10.14)
【手続補正００１】
【補正対象書類名】特許請求の範囲
【補正対象項目名】全文
【補正方法】変更
【補正の内容】
【書類名】特許請求の範囲
【請求項１】発光色が相異なる複数の発光ダイオードを集合させた光源を有する集魚灯と、海域の水の色、水温、風向・風速、潮流の流向・流速、照度条件、漁獲対象生物の種類・位置・反応行動、漁具や漁船の位置や挙動等の操業情報に応じて、前記発光ダイオードの各々の発光量を一元的に制御し、前記光源全体としての調色を行うことで、前記光源全体から発せられる見かけの発光波長を変化させる光源制御部とを備えてなる集魚灯装置。
【請求項２】発光色が相異なる複数の発光ダイオードを集合させた光源を有する集魚灯と、海域の水の色、水温、風向・風速、潮流の流向・流速、照度条件、漁獲対象生物の種類・位置・反応行動、漁具や漁船の位置や挙動等の操業情報に応じて、前記発光ダイオードの各々の発光量を一元的に制御し、前記光源全体としての調色を行うことで、前記光源全体から発せられる見かけの発光波長を連続的に変化させる光源制御部とを備えてなる集魚灯装置。
【請求項３】請求項１記載の集魚灯装置において、海域の状況や漁獲対象種等の操業情報に応じて、前記発光ダイオードの各々の発光量を一元的に制御し、前記光源全体としての調光を行うことで、前記光源全体から発せられる発光強度を変化させる光源制御部とを備えてなる集魚灯装置。
【請求項４】請求項２記載の集魚灯装置において、海域の状況や漁獲対象種等の操業情報に応じて、前記発光ダイオードの各々の発光量を一元的に制御し、前記光源全体としての調光を行うことで、前記光源全体から発せられる発光強度を変化させる光源制御部とを備えてなる集魚灯装置。
【請求項５】請求項１〜４のいずれか記載の集魚灯装置において、光源制御部が、光源の発光状態を変化させるボリューム部と、前記ボリューム部の設定位置に対応する発光状態を直感的に図示するスケール部とを備えたことを特徴とする集魚灯装置。
【請求項６】請求項１〜４のいずれか記載の集魚灯装置において、集魚灯が、海水を通じて発光ダイオードを冷却するための貫通孔を備えたことを特徴とする集魚灯装置。
【請求項７】請求項５記載の集魚灯装置において、集魚灯が、海水を通じて発光ダイオードを冷却するための貫通孔を備えたことを特徴とする集魚灯装置。
【手続補正００２】
【補正対象書類名】明細書
【補正対象項目名】０００２
【補正方法】変更
【補正の内容】
【０００２】
点もある。
【０００６】  そこで、最近では、上記ランプに代わり発光ダイオードを用いた集魚灯が提案されている。特許文献１及び２には、青色発光ダイオードを光源として備えた集魚灯が開示されており、少ない電力消費量で効果的に魚類を誘集できることが記載されている。
【０００７】  しかしながら、これら従来の集魚灯においては、いずれも灯色が固定されていた。このため、操業海域や対象魚種の行動に応じて発光波長や発光（放射）強度を変化させる等の適切な調光を行うことができないため、漁獲効率の向上に繋がり難いという問題点があった。
【特許文献１】特開２００３−１３４９６７号公報
【特許文献２】特開２０００−１２５６９８号公報
【発明の開示】
【発明が解決しようとする課題】
【０００８】  そこで本発明では、上記従来の状況に鑑み、操業海域の水の色、照度条件、漁獲対象生物の種類、漁獲対象生物の位置・深度・行動特性等の各種の操業情報に基づき、発光状態を適切に制御し、漁獲効率の向上に繋ぐことができる集魚灯装置、及びその使用方法を提供することを目的とする。
【課題を解決するための手段】
【０００９】  上記課題を解決するため、本発明は、発光色が相異なる複数の発光ダイオードを集合させた光源を有する集魚灯と、海域の水の色、水温、風向・風速、潮流の流向・流速、照度条件、漁獲対象生物の種類・位置・反応行動、漁具や漁船の位置や挙動等の操業情報に応じて、前記発光ダイオードの各々の発光量を一元的に制御し、前記光源全体としての調色を行うことで、前記光源全体から発せられる見かけの発光波長を変化させる光源制御部とを備えてなる集魚灯装置を提供するものである。
【００１０】  また、本発明は、発光色が相異なる複数の発光ダイオードを集合させた光源を有する集魚灯と、海域の水の色、水温、風向・風速、潮流の流向・流速、照度条件、漁獲対象生物の種類・位置・反応行動、漁具や漁船の位置や挙動等の操業情報に応じて、前記発光ダイオードの各々の発光量を一元的に制御し、前記光源全体としての調色を行うことで、前記光源全体から発せられる見かけの発光波長を連続的に変化させる光源制御部とを備えてなる集魚灯装置である。
２／１
【手続補正００３】
【補正対象書類名】明細書
【補正対象項目名】０００３
【補正方法】変更
【補正の内容】
【０００３】
【００１１】  また、本発明は、上記の集魚灯装置において、海域の状況や漁獲対象種等の操業情報に応じて、前記発光ダイオードの各々の発光量を一元的に制御し、前記光源全体としての調光を行うことで、前記光源全体から発せられる発光強度を変化させる光源制御部とを備えてなる集魚灯装置である。
【００１２】  上記構成によれば、刻々変化する操業情報に応じて、集魚灯から発せられる光の状態が最適化され、漁獲作業が効率良く進められる。なお、ここで操業情報とは、海域の水の色、水温、風向・風速、潮流の流向・流速、照度条件、漁獲対象生物の種類・位置・反応行動、漁具や漁船の位置や挙動等の漁獲作業に影響する各種情報をいう。
【００１３】  また、個々の発光ダイオードを制御することで、その集合体である光源全体としての調色及び調光が行われ、様々な状況に対応した漁具・漁船の操作や漁獲が可能となる。なお、ここで調色とは、個々の発光ダイオードの発光を合成した結果として、光源全体から発せられる見かけの発光波長を変化させることを意味し、調光とは光源全体の見かけの発光強度を変化させることを意味する。
【００１４】
【００１５】  また、本発明は、上記の集魚灯装置において、光源制御部が、光源の発光状態を変化させるボリューム部と、前記ボリューム部の設定位置に対応する発光状態を直感的に図示するスケール部とを備えたことを特徴とする。
【００１６】  上記構成によれば、スケール部の表示を確認しつつボリュームを設定することで、速やかに所望の発光状態が得られる。また、発光状態を連続的に微調整できる。
【００１７】  また、本発明は、上記の集魚灯装置において、集魚灯が、海水を通じて発光ダイオードを冷却するための貫通孔を備えたことを特徴とする。
【００１８】  上記構成によれば、集魚灯の稼動中に海水を利用して発光ダイオードを冷却するため、発光ダイオードの発光効率が向上する。
【００１９】  また、本発明は、上記の集魚灯装置の使用方法であって、光源全体としての発光波長が海域の水色と一致するように、発光ダイオードの各々の発光量を制御し、海水中の光の透過率を高めることを特徴とする集魚灯装置の使用方法である。
３
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
発光色が相異なる複数の発光ダイオードを集合させた光源を有する集魚灯と、海域の水の色、水温、風向・風速、潮流の流向・流速、照度条件、漁獲対象生物の種類・位置・反応行動、漁具や漁船の位置や挙動等の操業情報に応じて、前記発光ダイオードの各々の発光量を一元的に制御し、前記光源全体としての調色を行うことで、前記発光色が相異なる複数の発光ダイオードの発光の合成として前記光源全体から発せらせる見かけの発光波長を変化させる光源制御部とを備えてなる集魚灯装置。
【請求項２】
請求項１記載の集魚灯装置において、前記光源制御部は、海域の水の色、水温、風向・風速、潮流の流向・流速、照度条件、漁獲対象生物の種類・位置・反応行動、漁具や漁船の位置や挙動等の操業情報に応じて、前記発光ダイオードの各々の発光量を一元的に制御し、前記光源全体としての調色を行うことで、前記光源全体から発せらせる見かけの発光波長を連続的に変化させることを特徴とする集魚灯装置。
【請求項３】
請求項１または２記載の集魚灯装置において、前記光源制御部は、海域の状況や漁獲対象種等の操業情報に応じて、前記発光ダイオードの各々の発光量を一元的に制御し、前記光源全体としての調光を行うことで、前記光源全体から発せられる発光強度を変化させる機能を更に有することを特徴とする集魚灯装置。
【請求項４】
請求項１乃至３のいずれかに記載の集魚灯装置において、前記光源制御部が、光源の発光状態を変化させるボリューム部と、前記ボリューム部の設定位置対応する発光状態を直感的に図示する波長スケール部とを備えたことを特徴とする集魚灯装置。
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
発光色が赤色系、青色系、緑色系の三色の発光ダイオードを集合させた発光ダイオード集合体を形成し、この発光ダイオード集合体を複数用いた光源を有する集魚灯と、海域の水の色、水温、風向・風速、潮流の流向・流速、照度条件、漁獲対象生物の種類・位置・反応行動、漁具や漁船の位置や挙動等の操業情報に応じて、前記発光ダイオードの各々の発光量を一元的に制御し、前記光源の全体としての調色を行うことで、前記発光色が赤色系、青色系、緑色系の三色の発光ダイオードの発光の合成として前記光源全体から発せらせる見かけの発光波長を変化させる光源制御部とを備えてなる集魚灯装置。
【請求項２】
請求項１記載の集魚灯装置において、前記光源制御部は、海域の水の色、水温、風向・風速、潮流の流向・流速、照度条件、漁獲対象生物の種類・位置・反応行動、漁具や漁船の位置や挙動等の操業情報に応じて、前記発光ダイオードの各々の発光量を一元的に制御し、前記光源全体としての調色を行うことで、前記発光色が赤色系、青色系、緑色系の三色の発光ダイオードの発光の合成として前記光源全体から発せらせる見かけの発光波長を連続的に変化させることを特徴とする集魚灯装置。
【請求項３】
請求項１または２記載の集魚灯装置において、前記光源制御部は、海域の状況や漁獲対象種等の操業情報に応じて、前記発光ダイオードの各々の発光量を一元的に制御し、前記光源全体としての調光を行うことで、前記光源全体から発せられる発光強度を変化させる機能を更に有することを特徴とする集魚灯装置。
【請求項４】
請求項１乃至３のいずれかに記載の集魚灯装置において、前記光源制御部が、光源の発光状態を変化させるボリューム部と、前記ボリューム部の設定位置対応する発光状態を直感的に図示する波長スケール部と、光源の発光色をワンタッチで白色に変換する白色光スイッチとを備えたことを特徴とする集魚灯装置。
【国際調査報告】
2005029952.tif 000013
2005029952.tif 000014
2005029952.tif 000015
2005029952.tif 000016
2005029952.tif 000017
2005029952.tif 000018